(57)【要約】【課題】低電圧での駆動を可能にすることにより、電力消費を低減でき、駆動効率を向上でき、さらに駆動回路の高電圧負担を低減できるプラズマディスプレイ装置を提供する。【解決手段】スキャン電極とサステイン電極を含む維持電極が複数形成されたプラズマディスプレイパネルと前記複数の維持電極を駆動するための駆動部と；前記駆動部を制御して、前記スキャン電極にアドレス期間中に負極性スキャン波形を印加し、サステイン期間中に正極性サステイン波形と前記スキャン波形と同じ電圧レベルの負極性サステイン波形を印加し、前記サステイン電極にサステイン期間中に前記スキャン電極に印加された正極性サステイン波形及び負極性サステイン波形と逆極性のサステイン波形を印加する駆動パルス制御部とを含む。【選択図】図５
2006018307.tif 000002
【特許請求の範囲】
【請求項１】
スキャン電極とサステイン電極を含む維持電極が複数形成されたプラズマディスプレイパネルと、
前記複数の維持電極を駆動するための駆動部と、
前記駆動部を制御して、前記維持電極に同時にお互いに違う極性を持つサステイン波形をそれぞれ 印加 して放電セルの表示を維持する駆動パルス制御部、  を含むことを特徴とするプラズマディスプレイ装置。
【請求項２】
前記スキャン電極にアドレス期間中にアドレス電極に 印加されるアドレス波形と同期されたスキャン波形を印加することを特徴とする、請求項１記載のプラズマディスプレイ装置。
【請求項３】
前記駆動パルス制御部は、前記同時に 印加されるお互いに違う 極性 のサステイン波形の電位差がＶｓになるように制御することを特徴とする、請求項１記載のプラズマディスプレイ装置。
【請求項４】
前記サステイン波形はそれぞれ -Ｖｓ/２と +Ｖｓ/２であることを特徴とする、請求項３記載のプラズマディスプレイ装置。
【請求項５】
スキャン電極とサステイン電極を含む維持電極が複数形成されたプラズマディスプレイパネルと、
前記 複数の維持電極を駆動させるための駆動部と、
お互いに違う 極性 の電圧源を具備して、 前記 維持電極に同時にお互いに違う極性を持つサステイン波形をそれぞれ印加して放電セルの表示を維持する駆動パルス制御部、
を含むことを特徴とするプラズマディスプレイ装置。
【請求項６】
前記スキャン電極にアドレス期間の間アドレス電極に印加されるアドレス波形と同期されたスキャン波形を印加することを特徴とする、請求項５記載のプラズマディスプレイ装置。
【請求項７】
前記駆動パルス制御部は、
前記同時に印加されるお互いに違う 極性 のサステイン波形の電位差がＶｓとなるように制御することを特徴とする、請求項５記載のプラズマディスプレイ装置。
【請求項８】
前記 サステイン波形はそれぞれ -Ｖｓ/２と+Ｖｓ/２であるのを特徴とする、請求項７記載のプラズマディスプレい装置。
【請求項９】
スキャン電極とサステイン電極を含む維持電極が複数形成されたプラズマディスプレイパネルと、
前記複数の維持電極を駆動させるための駆動部と、
前記駆動部を制御して、前記スキャン電極にアドレス期間の間、負極性スキャン波形を印加して、サステイン期間の間、正極性サステイン波形と前記スキャン波形と等しい電圧大きさの負極性サステイン波形を印加し、
前記サステイン電極にサステイン期間の間前記スキャン電極に印加された正極性サステイン波形と負極性サステイン波形の逆極性サステイン波形を印加する駆動パルス制御部、
を含むことを特徴とするプラズマディスプレイ装置。
【請求項１０】
前記維持電極駆動部は、
前記スキャン電極に前記波形を供給する第１のスイッチング素子と第２のスイッチング素子を含むスキャンドライバと、
前記サステイン電極に前記波形を供給する第１のスイッチング素子と第２のスイッチング素子を含むサステインドライバと、を含むことを特徴とする、請求項９記載のプラズマディスプレイ装置
【請求項１１】
前記スキャンドライバは、
前記第１のスイッチング素子を介して前記セットアップ波形と前記正極性サステイン波形を印加し、
前記第２のスイッチング素子を介して前記セットダウン波形と前記負極性サステイン波形を印加することを特徴とする、請求項１０記載のプラズマディスプレイ装置。
【請求項１２】
前記 スキャン基準波形はグラウンド電圧レベルであることを特徴とする、請求項１１記載のプラズマディスプレイ装置。
【請求項１３】
前記サステインドライバーは、
前記第1スイチング素子を通じて前記正極性サステイン波形を印加して、
前記第2スイチング素子を通じて前記負極性サステイン波形を印加することを特徴とする、請求項１０記載のプラズマディスプレイ装置。
【請求項１４】
前記正極性サステイン波形と前記負極性サステイン波形の電圧差はサステイン放電電圧大きさを成すことを特徴とする、請求項１０記載のプラズマディスプレイ装置。
【請求項１５】
前記正極性サステイン波形と前記負極性サステイン波形は電圧大きさがお互いに等しいすことを特徴とする、請求項９記載のプラズマディスプレイ装置。
【請求項１６】
前記正極性サステイン波形と前記負極性サステイン波形は電圧大きさがお互いに違うことを特徴とする、請求項９記載のプラズマディスプレイ装置。
【請求項１７】
前記負極性サステイン波形の電圧の大きさが、前記正極性サステインパルスの電圧の大きさよりさらに大きいことを特徴とする、請求項１６記載のプラズマディスプレイ装置。
【請求項１８】
前記正極性サステイン波形の電圧の大きさが、前記負極性サステインパルスの電圧の大きさよりさらに大きいことを特徴とする、請求項１６記載のプラズマディスプレイ装置。
【請求項１９】
前記スキャン電極またはサステイン電極の中何れの一つ以上の電極に印加される前記サステイン波形の極性が変わる時、所定のサステイン基準波形が印加されることを特徴とする、請求項９記載のプラズマディスプレイ装置。
【請求項２０】
前記サステイン基準波形はグラウンド電圧レベルであるされることを特徴とする、請求項１９記載のプラズマディスプレイ装置。 
【請求項２１】
前記グラウンド電圧レベルを維持するための少なくても一つ以上のグラウンド用スイチング素子をさらに含むことを特徴とする、請求項２０記載のプラズマディスプレイ装
【請求項２２】
スキャン電極とサステイン電極を含む維持電極が複数形成されたプラズマディスプレイパネルと、
前記複数の維持電極を駆動させるための駆動部と、
前記駆動部を制御して、前記スキャン電極にセットアップ期間の間、セットアップ波形を印加し、セッダウン期間の間、前記セットアップ波形の逆極性セッダウン波形を印加し、サステイン期間の間、正極性サステイン波形と負極性サステイン波形を印加して、
前記サステイン電極にセットアップ期間の間、前記セットアップ波形の逆極性波形を印加して、セッダウン期間の間、前記セッダウン波形の逆極性波形を印加して、サステイン期間の間、前記スキャン電極に印加された正極性サステイン波形と負極性サステイン波形の逆極性サステイン波形を印加する駆動パルス制御部、
を含むことを特徴とするプラズマディスプレイ装置。
【請求項２３】
前記セットアップ波形は前記正極性サステイン波形と等しい電圧レベルの正極性波形印加後、漸進的に上昇する上昇ランプ波形を成して、 
前記セッダウン波形は漸進的に降りる下降ランプ波形を成すことを特徴とする、 請求項２２記載のプラズマディスプレイ装置。
【請求項２４】
前記サステイン電極に印加される、前記セットアップ波形の逆極性波形は、前記負極性サステイン波形と等しい電圧レベルであり、
前記セッダウン波形の逆極性波形は、前記正極性サステイン波形と等しい電圧レベルであることを特徴とする、請求項２２記載のプラズマディスプレイ装置。
【請求項２５】
前記駆動パルス制御部は、
前記駆動部を制御して、前記スキャン電極にアドレス期間の間、前記負極性サステイン波形と等しい負極性スキャン波形を印加するであることを特徴とする、請求項２２記載のプラズマディスプレイ装置。
【請求項２６】
前記駆動部は、
前記スキャン電極に前記波形を供給する第1スイチング素子と第2スイチング素子を含むスキャンドライバーと、
前記サステイン電極に前記波形を供給する第1スイチング素子と第2スイチング素子を含むサステインドライバー、
を含むことを特徴とする、請求項２２記載のプラズマディスプレイ装置。
【請求項２７】
前記スキャンドライバーは、
前記第1スイチング素子を通じて前記セットアップ波形と前記正極性サステイン波形を印加して、
前記第2スイチング素子を通じて前記セッダウン波形と前記負極性サステイン波形を印加するむことを特徴とする、請求項２６記載のプラズマディスプレイ装置。
【請求項２８】
前記サステインドライバーは、
前記第1スイチング素子を通じて前記セッダウン波形の逆極性波形と前記正極性サステイン波形を印加して、
前記第2スイチング素子を通じて前記セットアップ波形の逆極性波形と前記負極性サステイン波形を印加するするむことを特徴とする、請求項２６記載のプラズマディスプレイ装置。
【請求項２９】
スキャン電極とサステイン電極が対を成す複数の維持電極を含むプラズマディスプレイ装置の駆動方法において、
前記維持電極に同時にお互いに違う極性を持つサステイン波形をそれぞれ印加して放電セルの表示を維持するサステイン期間を持つことを特徴とするプラズマディスプレイ装置の駆動方法。
【請求項３０】
前記スキャン電極にアドレス期間の間アドレス電極に印加されるアドレス波形と同期されたスキャン波形を印加することを特徴とする、請求項２９記載のプラズマディスプレイ装置の駆動方法。
【請求項３１】
前記同時に印加されるお互いに違う極性のサステイン波形の電位差がVsになるように制御するすることを特徴とする、請求項２９記載のプラズマディスプレイ装置の駆動方法。
【請求項３２】
前記サステイン波形はそれぞれ -Vs/２と +Vs/２であることを特徴とする、請求項３１記載のプラズマディスプレイ装置。
【請求項３３】
前記サステイン波形は前記サステイン期間の間各各交番して極性が変わることを特徴とする、請求項２９記載のプラズマディスプレイ装置の駆動方法
【請求項３４】
スキャン電極とサステイン電極が対を成す複数の維持電極を含むプラズマディスプレイ装置の駆動方法において、
前記スキャン電極にアドレス期間の間、負極性スキャン波形を印加して、サステイン期間の間、正極性サステイン波形と前記スキャン波形と等しい電圧大きさの負極性サステイン波形を印加して、
前記サステイン電極にサステイン期間の間前記スキャン電極に印加された正極性サステイン波形と負極性サステイン波形の逆極性サステイン波形を印加することを特徴とするプラズマディスプレイ装置の駆動方法。
【請求項３５】
前記スキャン電極にアドレス期間の間、スキャン基準波形を印加することを特徴とする、請求項３４記載のプラズマディスプレイ装置の駆動方法。
【請求項３６】
前記スキャン基準波形はグラウンド電圧レベルであることを特徴とする、請求項３５記載のプラズマディスプレイ装置の駆動方法。
【請求項３７】
前記正極性サステイン波形と前記負極性サステイン波形の電圧差はサステイン放電電圧大きさを成すであることを特徴とする、請求項３４記載のプラズマディスプレイ装置の駆動方法。
【請求項３８】
前記正極性サステイン波形と前記負極性サステイン波形は電圧大きさがお互いに等しいであることを特徴とする、請求項３４記載のプラズマディスプレイ装置の駆動方法。
【請求項３９】
前記正極性サステイン波形と前記負極性サステイン波形は電圧大きさがお互いに違うことを特徴とする、請求項３４記載のプラズマディスプレイ装置の駆動方法。
【請求項４０】
前記負極性サステイン波形の電圧の大きさが、前記正極性サステインパルスの電圧の大きさよりさらに大きいうことを特徴とする、請求項３９記載のプラズマディスプレイ装置の駆動方法。
【請求項４１】
前記正極性サステイン波形の電圧の大きさが、前記負極性サステインパルスの電圧の大きさよりさらに大きいことを特徴とする、請求項３９記載のプラズマディスプレイ装置の駆動方法。
【請求項４２】
前記スキャン電極またはサステイン電極の中でどの一つ以上の電極に印加される前記サステイン波形の極性が変わる時、所定のサステイン基準波形が印加されることを特徴とする、請求項３４記載のプラズマディスプレイ装置の駆動方法。
【請求項４３】
前記サステイン基準波形はグラウンド電圧レベルであることを特徴とする、請求項４２記載のプラズマディスプレイ装置の駆動方法。
【請求項４４】
スキャン電極とサステイン電極が対を成す複数の維持電極を含むプラズマディスプレイ装置の駆動方法において、
前記スキャン電極にセットアップ期間の間、セットアップ波形を印加して、セッダウン期間の間、前記セットアップ波形の逆極性セッダウン波形を印加して、サステイン期間の間、正極性サステイン波形と負極性サステイン波形を印加して、
前記サステイン電極にセットアップ期間の間、前記セットアップ波形の逆極性波形を印加して、セッダウン期間の間、前記セッダウン波形の逆極性波形を印加して、サステイン期間の間、前記スキャン電極に印加された正極性サステイン波形と負極性サステイン波形の逆極性サステイン波形を印加することを特徴とするプラズマディスプレイ装置の駆動方法。
【請求項４５】
前記スキャン電極に印加される、前記セットアップ波形は、前記正極性サステイン波形と等しい電圧レベルの正極性波形印加後、漸進的に上昇する上昇ランプ波形を成して、 
前記セッダウン波形は、漸進的に降りる下降ランプ波形を成すことを特徴とする、請求項４４記載のプラズマディスプレイ装置の駆動方法。
【請求項４６】
前記サステイン電極に印加される前記セットアップ波形の逆極性波形は、前記負極性サステイン波形と等しい電圧レベルであり、
前記セッダウン波形の逆極性波形は、前記正極性サステイン波形と等しい電圧レベルであることを特徴とする、請求項４４記載のプラズマディスプレイ装置の駆動方法。
【請求項４７】
前記スキャン電極にアドレス期間の間、前記負極性サステイン波形と等しい負極性スキャン波形を印加するすことを特徴とする、請求項４４記載のプラズマディスプレイ装置の駆動方法。
【発明の詳細な説明】
【技術分野】
【０００１】
本発明は、プラズマディスプレイ装置に係り、さらに詳細には、駆動時に正極性サステイン波形と負極性サステイン波形を印加するプラズマディスプレイ装置及びその駆動方法に関する。
【背景技術】
【０００２】
一般に、プラズマディスプレイ装置(Plasma Display Apparatus)は、前面基板と背面基板の間に形成された隔壁が１つの単位セルをなしているプラズマディスプレイパネルを含む。各セル内にはネオン（Ｎｅ）、ヘリウム（Ｈｅ）またはネオン及びヘリウムの混合ガス（Ｎｅ＋Ｈｅ）のような主放電ガスと、少量のキセノンを含む不活性ガスとが充填されている。高周波電圧によって放電を行うと、不活性ガスは真空紫外線(Vacuum Ultraviolet rays)を発生させ、隔壁間に形成された蛍光体を発光させて画像を具現する。このようなプラズマディスプレイ装置は薄くて軽いので、次世代表示装置として脚光を浴びている。
【０００３】
図１は、一般的なプラズマディスプレイパネルの構造を示す図である。
【０００４】
図１に示すように、プラズマディスプレイパネルは、画像が表示される表示面としての全面ガラス１０１上に対(対)をなすスキャン電極１０２及びサステイン電極１０３よりなる複数の維持電極対が配列された前面基板１００と、背面を形成する背面ガラス１１１上に前記複数の維持電極対と交差する方向に複数のアドレス電極１１３が配列された背面基板１１０と、を備える。前記前面基板１００と背面基板１１０は、一定の間隔をおいて平行に配置される。
【０００５】
前面基板１００は、一つの放電セルで相互放電を起こし且つセルの発光を維持するためのスキャン電極１０２及びサステイン電極１０３を備える。このスキャン電極１０２及びサステイン電極１０３は、透明なインジウムティンオキサイド（Indium-Tin-Oxide:ＩＴＯ）からなる透明電極ａと、金属材質からなるバス電極ｂとによって構成される。前記前面基板１００は、スキャン電極１０２及びサステイン電極１０３の放電電流を制限し、電極対間を絶縁する１以上の誘電体層１０４によって覆われる。誘電体層１０４上には放電条件を容易に実現するためのに酸化マグネシウム（ＭｇＯ）が蒸着された保護層１０４が形成される。
【０００６】
背面基板１１０には、複数の放電空間、すなわち放電セルを形成するためのストライプタイプ（またはウェルタイプ）の隔壁１１２が並列に配列される。また、アドレス放電を行う複数のアドレス電極１１３が隔壁１１２に対して並んで配置される。背面基板１１０の上面にはサステイン放電時に画像を表示するのための可視光を放出するＲ，Ｇ，Ｂ蛍光体１１４が塗布される。アドレス電極１１３と蛍光体１１４との間にはアドレス電極１１３を保護するための誘電体層１１５が形成される。
【０００７】
図２は、従来のプラズマディスプレイ装置の画像を具現する方法を示す図である。
【０００８】
図２に示すように、プラズマディスプレイ装置は、１つのフレーム期間を放電回数の異なる複数のサブフィールドに分け、入力される映像信号の階調値に該当するサブフィールド期間にプラズマディスプレイパネルを発光させることで画像を具現する。
【０００９】
各サブフィールドは、放電を均一に起こすためのリセット期間と、放電セルを選択するためのアドレス期間と、放電回数によって階調を具現するサステイン期間とに分けられる。例えば、２５６階調で画像を表示しようとする場合、１／６０秒に該当するフレーム期間１６．６７ｍｓは８つのサブフィールドに分けられる。
【００１０】
さらに、８つのサブフィールドのそれぞれは、リセット期間、アドレス期間及びサステイン期間に分けられる。ここで、サステイン期間は各サブフィールドにおいて２ｎ（ｎ＝０,１,２,３,４,５,６,７）の割合で増加する。このように各サブフィールドにおけるサステイン期間が変わることにより、画像の階調(Gray level)を具現できるようになる。次に、図３を参照してこのようなプラズマディスプレイ装置について説明する。
【００１１】
図３は、従来のプラズマディスプレイ装置を概略的に示すブロック図である。
【００１２】
図３に示すように、従来のプラズマディスプレイ装置は、プラズマディスプレイパネル３００、信号処理部３１０、データ整列部３２０、データ駆動部３３０、スキャン駆動部３４０、サステイン駆動部３５０及び駆動パルス制御部３６０を備える。
【００１３】
プラズマディスプレイパネル３００には、スキャン電極Ｙ１〜Ｙｎ及びサステイン電極Ｚと、前記スキャン電極Ｙ１〜Ｙｎ及びサステイン電極Ｚと交差する複数のアドレス電極Ｘ１〜Ｘｍとが形成される。
【００１４】
信号処理部３１０は、外部から入力される映像信号をプラズマディスプレイ装置の駆動に適した映像信号に変換する。このような映像信号処理部３１０は、映像信号に対して逆ガンマ補正を行う逆ガンマ補正部と、映像信号の利得値を調節する利得制御部と、階調表現力を向上させるためのハーフトーン部と、映像信号をサブフィールド単位にマッピングするマッピング部（図示せず）と、を含む。
【００１５】
データ整列部３２０は、信号処理部３１０でサブフィールド単位にマッピングされた映像信号をサブフィールド別に再整列する。
【００１６】
データ駆動部３３０は、整列された映像信号に該当するアドレス期間中に、アドレスパルスをプラズマディスプレイパネル３００に形成されたアドレス電極Ｘ１〜Ｘｍに印加する。
【００１７】
スキャン駆動部３４０は、プラズマディスプレイパネル３００に形成されたスキャン電極Ｙ１〜Ｙｎを駆動する。スキャン駆動部３４０は、リセット期間中にセットアップパルスとセットダウンパルスを印加し、アドレス期間中にスキャンパルスを順次に印加し、サステイン期間中にサステインパルスを印加する。
【００１８】
サステイン駆動部３５０は、プラズマディスプレイパネル３００に共通電極として形成されたサステイン電極Ｚを駆動する。サステイン駆動部３５０は、アドレス期間中に正極性のバイアスパルスを印加し、サステイン期間中にサステイン放電を行うための少なくとも１以上のサステインパルスを前記スキャンサステインパルスと交互に印加する。
【００１９】
駆動パルス制御部３６０は、リセット期間、アドレス期間またはサステイン期間中にデータ駆動部３３０、スキャン駆動部３４０及びサステイン駆動部３５０が印加するそれぞれの駆動パルスのタイミングを制御する。また、コントロール部３６０は、外部から入力される映像信号に応じてデータ整列部３２０に再整列された映像信号が順次に判読されてデータ駆動部３３０にスキャンライン分ずつ供給されるように制御する。
【００２０】
図４は、従来のプラズマディスプレイ装置の回路図である。
【００２１】
図４を参照すれば、プラズマディスプレイパネル４００のそれぞれの電極はスキャン駆動部４１０及びサステイン駆動部４２０と接続されている。
【００２２】
アドレス期間中に一番目のスキャン電極Ｙ１に該当するチャンネルが選択されると、残りのスキャン電極Ｙ２，Ｙ３，……,Ｙｎに該当するチャンネルは選択されない。このようにチャンネルが選択されると、選択されたチャンネルに該当する一番目のスキャンドライバ４１０−１の第２のスイッチング素子４１３−１と、スキャン用スイッチング素子４１４とがターンオンする。同時に、選択されていないチャンネルに該当するスキャンドライバ４１０−２〜４１０−ｎの第１のスイッチング素子４１１−２〜４１１−ｎと、接地用スイッチング素子４１５とがターンオンする。
【００２３】
これにより、選択された一番目のスキャン電極Ｙ１にはスキャン電圧−Ｖｙｓｃａｎが印加され、残りのスキャン電極Ｙ２〜Ｙｎは接地レベルになる。この状態でアドレス電極Ｘ１〜Ｘｍにアドレスパルスが印加されれば、一番目のラインに位置するセルに書き込み動作が行われる。
【００２４】
アドレスパルスは、アドレス電極とスキャン電極間のキャパシタを介して、残りのスキャン電極Ｙ２〜Ｙｎに該当するスキャンドライバ４１０−２〜４１０−ｎの第１のスイッチング素子４１１−２〜４１１−ｎと接地用スイッチング素子４１５とを経て接地される。
【００２５】
このような過程が全てのスキャン電極に対して行われるとスキャン過程が終了する。その後、選択されたセルの放電を保持するためのサステイン過程が行われ始める。
【００２６】
第１のサステイン用スイッチング素子４１６、第２のスイッチング素子４１３−１〜４１３−ｎ及び接地用スイッチング素子４２２がターンオンし、スキャン用スイッチング素子４１４、第１のスイッチング素子４１１−１〜４１１−ｎ、接地用スイッチング素子４１５及び第２のサステイン用スイッチング素子４２１がターンオフする。これにより、サステイン電圧＋Ｖｓyがすべてのスキャン電極Ｙ１〜Ｙｎに印加され、すべてのサステイン電極Ｚ１〜Ｚｎは接地レベルになる。
【００２７】
すべてのスキャン電極Ｙ１〜Ｙｎにサステイン電圧が印加された後、第２のサステイン用スイッチング素子４２１、第１のスイッチング素子４１１−１〜４１１−ｎ及び接地用スイッチング素子４１５がターンオンし、スキャン用スイッチング素子４１４、第１のサステイン用スイッチング素子４１６及び第２のスイッチング素子４１３−１〜４１３−ｎがターンオフする。これにより、サステイン電圧＋Ｖｓｚがすべてのサステイン電極に印加され、すべてのスキャン電極Ｙ１〜Ｙｎは接地レベルになる。
【００２８】
このような従来のプラズマディスプレイ装置では、高電圧のサステイン電圧（＋Ｖｓy，＋Ｖｓｚ）がスキャン駆動部４１０とサステイン駆動部４２０によってそれぞれスキャン電極とサステイン電極に印加される。
【００２９】
このように、高電圧のサステイン電圧（＋Ｖｓy，＋Ｖｓz）がスキャン駆動部４１０とサステイン駆動部４２０によって印加される場合、無効電力が大きくなるため、電力消費が増加し、相対的に効率が低下する。また、高電圧のサステイン電圧（＋Ｖｓy、＋Ｖｓz）が使われるので、スキャン駆動部４１０とサステイン駆動部４２０に負担がかかるという不具合がある。
【発明の開示】
【発明が解決しようとする課題】
【００３０】
本発明の目的は、プラズマディスプレイ装置及びその駆動方法を改善することにより、電力消費を低減できるプラズマディスプレイ装置を提供することにある。
【００３１】
また、本発明の他の目的は、プラズマディスプレイ装置及びその駆動方法を改善することにより、駆動効率を向上できるプラズマディスプレイ装置を提供することにある。
【００３２】
さらに、本発明のさらに他の目的は、プラズマディスプレイ装置及びその駆動方法を改善することにより、駆動回路の高電圧負担を低減できるプラズマディスプレイ装置を提供することにある。
【００３３】
さらに、本発明のさらに他の目的は、プラズマディスプレイ装置及びその駆動方法を改善することにより、生産コストを低減できるプラズマディスプレイ装置を提供することにある。
【課題を解決するための手段】
【００３４】
本発明の第１の実施例に係るプラズマディスプレイ装置は、スキャン電極とサステイン電極を含む維持電極が複数形成されたプラズマディスプレイパネルと；前記複数の維持電極を駆動するための駆動部と；前記駆動部を制御して、前記スキャン電極にアドレス期間中に負極性スキャン波形を印加し、サステイン期間中に正極性サステイン波形と前記スキャン波形と同じ電圧レベルの負極性サステイン波形を印加し、前記サステイン電極にサステイン期間中に前記スキャン電極に印加された正極性サステイン波形及び負極性サステイン波形と逆極性のサステイン波形を印加する駆動パルス制御部と；を含むことを特徴とする。
【００３５】
本発明の維持電極を駆動するための駆動部は、前記スキャン電極に前記波形を供給する第１のスイッチング素子と第２のスイッチング素子を含むスキャンドライバと；前記サステイン電極に前記波形を供給する第１のスイッチング素子と第２のスイッチング素子を含むサステインドライバと；を含むことを特徴とする。
【００３６】
本発明のスキャンドライバは、前記第１のスイッチング素子を介してスキャン基準波形と前記正極性サステイン波形を印加し、前記第２のスイッチング素子を介して前記スキャン波形と前記負極性サステイン波形を印加することを特徴とする。
【００３７】
本発明のスキャン基準波形は、接地(ＧＮＤ)電圧レベルを有することを特徴とする
【００３８】
本発明のサステインドライバは、前記第１のスイッチング素子を介して前記正極性サステイン波形を印加し、前記第２のスイッチング素子を介して前記負極性サステイン波形を印加することを特徴とする。
【００３９】
本発明の第２の実施例に係るプラズマディスプレイ装置は、スキャン電極とサステイン電極を含む維持電極が複数形成されたプラズマディスプレイパネルと；前記複数の維持電極を駆動するための駆動部と；前記駆動部を制御して、前記スキャン電極にセットアップ期間中にセットアップ波形を印加し、セットダウン期間中に前記セットアップ波形と逆極性のセットダウン波形を印加し、サステイン期間中に正極性サステイン波形と負極性サステイン波形を印加し、前記サステイン電極にセットアップ期間中に前記セットアップ波形と逆極性の波形を印加し、セットダウン期間中に前記セットダウン波形と逆極性の波形を印加し、サステイン期間中に前記スキャン電極に印加された正極性サステイン波形及び負極性サステイン波形と逆極性のサステイン波形を印加する駆動パルス制御部と；を含むことを特徴とする。
【００４０】
本発明のセットアップ波形は、前記正極性サステイン波形と同じ電圧レベルの正極性波形を印加後、次第に立ち上がる立上りランプ波形をなし、前記セットダウン波形は、次第に立ち下がる立下りランプ波形をなすことを特徴とする。
【００４１】
本発明のサステイン電極に印加される前記セットアップ波形と逆極性の波形は、前記負極性サステイン波形と同じ電圧レベルを有し、前記セットダウン波形と逆極性の波形は、前記正極性サステイン波形と同じ電圧レベルを有することを特徴とする。
【００４２】
本発明の駆動パルス制御部は、前記駆動部を制御して、前記スキャン電極にアドレス期間中に前記負極性サステイン波形と同じ電圧レベルの負極性スキャン波形を印加することを特徴とする。
【００４３】
本発明の駆動部は、前記スキャン電極に前記波形を供給する第１のスイッチング素子と第２のスイッチング素子を含むスキャンドライバと；前記サステイン電極に前記波形を供給する第１のスイッチング素子と第２のスイッチング素子を含むサステインドライバと；を含むことを特徴とする
【００４４】
本発明のスキャンドライバは、前記第１のスイッチング素子を介して前記セットアップ波形と前記正極性サステイン波形を印加し、前記第２のスイッチング素子を介して前記セットダウン波形と前記負極性サステイン波形を印加することを特徴とする。
【００４５】
本発明のサステインドライバは、前記第１のスイッチング素子を介して前記セットダウン波形と逆極性の波形及び前記正極性サステイン波形を印加し、前記第２のスイッチング素子を介して前記セットアップ波形と逆極性の波形及び前記負極性サステイン波形を印加することを特徴とする。
【００４６】
本発明の正極性サステイン波形と前記負極性サステイン波形との間の電圧差は、サステイン放電電圧の大きさとなることを特徴とする。
【００４７】
本発明の正極性サステイン波形と前記負極性サステイン波形は、互いに同じ電圧レベルを有することを特徴とする。
【００４８】
本発明の正極性サステイン波形と前記負極性サステイン波形は、互いに異なる電圧レベルを有することを特徴とする。
【００４９】
本発明は、負極性サステイン波形の方が一層高い電圧レベルを有することを特徴とする。
【００５０】
本発明は、正極性サステイン波形の方が一層高い電圧レベルを有することを特徴とする。
【００５１】
本発明のスキャン電極またはサステイン電極のうちどちらか一方以上の電極に印加される前記サステイン波形の極性が変わる時点で、所定のサステイン基準波形が印加されることを特徴とする
【００５２】
本発明のサステイン基準波形は、接地電圧レベルを有することを特徴とする。
【００５３】
本発明は、接地電圧レベルを保持するための少なくとも１以上の接地用スイッチング素子をさらに含むことを特徴とする。
【００５４】
本発明の第１の実施例に係るスキャン電極とサステイン電極が対をなす複数の維持電極を含むプラズマディスプレイ装置の駆動方法において、前記スキャン電極にアドレス期間中に負極性スキャン波形を印加し、サステイン期間中に正極性サステイン波形と前記スキャン波形と同じ電圧レベルの負極性サステイン波形を印加し、前記サステイン電極にサステイン期間中に前記スキャン電極に印加された正極性サステイン波形及び負極性サステイン波形と逆極性のサステイン波形を印加することを特徴とする。
【００５５】
本発明のスキャン電極にアドレス期間中にスキャン基準波形を印加することを特徴とする。
【００５６】
本発明のスキャン基準波形は、接地電圧レベルを有することを特徴とする。
【００５７】
本発明の第２の実施例に係るスキャン電極とサステイン電極が対をなす複数の維持電極を含むプラズマディスプレイ装置の駆動方法において、前記スキャン電極にセットアップ期間中にセットアップ波形を印加し、セットダウン期間中に前記セットアップ波形と逆極性のセットダウン波形を印加し、サステイン期間中に正極性サステイン波形と負極性サステイン波形を印加し、前記サステイン電極にセットアップ期間中に前記セットアップ波形と逆極性の波形を印加し、セットダウン期間中に前記セットダウン波形と逆極性の波形を印加し、サステイン期間中に前記スキャン電極に印加された正極性サステイン波形及び負極性サステイン波形と逆極性のサステイン波形を印加することを特徴とする。
【００５８】
本発明のスキャン電極に印加される前記セットアップ波形は、前記正極性サステイン波形と同じ電圧レベルの正極性波形を印加後、次第に立ち上がる立上りランプ波形をなし、前記セットダウン波形は、次第に立ち下がる立下りランプ波形をなすことを特徴とする。
【００５９】
本発明のサステイン電極に印加される前記セットアップ波形と逆極性の波形は、前記負極性サステイン波形と同じ電圧レベルを有し、前記セットダウン波形と逆極性の波形は、前記正極性サステイン波形と同じ電圧レベルを有することを特徴とする。
【００６０】
本発明のスキャン電極にアドレス期間中に前記負極性サステイン波形と同じ電圧レベルの負極性スキャン波形を印加することを特徴とする。
【００６１】
本発明の正極性サステイン波形と前記負極性サステイン波形との間の電圧差は、サステイン放電電圧の大きさとなることを特徴とする。
【００６２】
本発明の正極性サステイン波形と前記負極性サステイン波形は、互いに同じ電圧レベルを有することを特徴とする。
【００６３】
本発明の正極性サステイン波形と前記負極性サステイン波形は、互いに異なる電圧レベルを有することを特徴とする。
【００６４】
本発明は、負極性サステイン波形の方が一層高い電圧レベルを有することを特徴とする。
【００６５】
本発明は、正極性サステイン波形の方が一層高い電圧レベルを有することを特徴とする。
【００６６】
本発明のスキャン電極またはサステイン電極のうちどちらか一方以上の電極に印加される前記サステイン波形の極性が変わる時点で、所定のサステイン基準波形が印加されることを特徴とする
【００６７】
本発明のサステイン基準波形は、接地電圧レベルを有することを特徴とする。
【発明の効果】
【００６８】
本発明の第１の実施例に係るプラズマディスプレイ装置は、従来に比べて低い駆動電圧が利用することから、駆動面や効率面に優れており、無効電力を減少させて電力消費を低減することができる。また、低い駆動電圧を使用することから、製造コストを低減でき、同じ電圧源にてスキャン過程及びサステイン過程を行うことから、簡単な回路且つ優れた駆動力を実現することができる。
【００６９】
本発明の第２の実施例に係るプラズマディスプレイ装置は、セットアップパルスが印加されるとき、別途のサステイン電圧源なしに正極性サステイン電圧源＋Ｖｓ／２と負極性サステイン電圧源−Ｖｓ／２を用いてリセット過程、スキャン過程及びサステイン過程を同時に行えることから、低電圧での駆動が可能なので電力消費を低減でき、効率を向上できるほか、駆動回路の高電圧負担を低減することができる。
【発明を実施するための最良の形態】
【００７０】
以下、本発明の実施例を添付図を参照して詳しく説明する。
＜第１の実施例＞
【００７１】
図５は、本発明の第１の実施例に係るプラズマディスプレイ装置の構造を説明するための図である。
【００７２】
図５に示すように、本発明の第１の実施例に係るプラズマディスプレイ装置は、プラズマディスプレイパネル５００、データ駆動部５１０、スキャン駆動部５２０、サステイン駆動部５３０、駆動パルス制御部５４０及び駆動電圧発生部５５０を備える。
【００７３】
プラズマディスプレイパネル５００には、スキャン電極Ｙ１〜Ｙｎ及びサステイン電極Ｚと、前記スキャン電極Ｙ１〜Ｙｎ及びサステイン電極Ｚと交差する複数のアドレス電極Ｘ１〜Ｘｍとが形成される。
【００７４】
データ駆動部５１０は、プラズマディスプレイパネル５００に形成されたアドレス電極Ｘ１〜Ｘｍにデータを印加する。ここで、データは外部から入力される映像信号を処理する映像信号処理部（図示せず）で処理された映像信号データである。データ駆動部５１０は、駆動パルス制御部５４０からのデータタイミング制御信号ＣＴＲＸに応答してデータをサンプリングしラッチした後、アドレス電圧Ｖａを有するアドレスパルスをそれぞれのアドレス電極Ｘ１〜Ｘｍに供給する。
【００７５】
スキャン駆動部５２０は、プラズマディスプレイパネル５００に形成されたスキャン電極Ｙ１〜Ｙｎを駆動する。先ず、スキャン駆動部５２０は、リセット期間中に、駆動パルス制御部５４０の制御下で、ランプ波形をなしながらセットアップ電圧Ｖｓｅｔｕｐレベルに立ち上がるセットアップパルスと、セットダウン電圧−Ｖｓｅｔｄｏｗｎレベルに立ち下がるセットダウンパルスとを、スキャン電極Ｙ１〜Ｙｎに供給する。その後、アドレス期間中に、スキャン基準電圧Ｖｓｃに立ち下がる負極性スキャンパルスをスキャン電極Ｙ１〜Ｙｎのそれぞれに順次に供給する。ここで、本発明の第１の実施例に係るスキャン波形と負極性サステイン波形は、駆動電圧発生部５５０から供給される電圧と同じ電圧−Ｖｓ／２を有する。ここに関するより詳細な説明は図６及び図７を参照して後述する。その後、スキャン駆動部５２０は、サステイン期間中に、サステイン放電を行うための少なくとも１以上の正極性サステインパルスと、スキャンパルスと同じ電圧レベルの負極性サステインパルスとを、スキャン電極Ｙ１〜Ｙｎに供給する。
【００７６】
サステイン駆動部５３０は、プラズマディスプレイパネル５００に共通電極として形成されたサステイン電極Ｚを駆動する。サステイン駆動部５３０は、駆動パルス制御部５４０の制御下でアドレス期間中に接地電圧レベルの基準パルスをサステイン電極Ｚに供給し、サステイン期間中にスキャン電極Ｙ１〜Ｙｎに印加される正極性サステインパルス及び負極性サステインパルスと逆極性のサステインパルスをサステイン電極Ｚに供給する。
【００７７】
駆動パルス制御部５４０は、プラズマディスプレイパネル５００の駆動時にデータ駆動部５１０、スキャン駆動部５２０及びサステイン駆動部５３０を制御する。すなわち、駆動パルス制御部５４０は、上述したようなリセット期間、アドレス期間、サステイン期間中にデータ駆動部５１０、スキャン駆動部５２０及びサステイン駆動部５３０の動作タイミングと同期化を制御するためのタイミング制御信号ＣＴＲＸ，ＣＴＲＹ，ＣＴＲＺを生成し、それぞれのタイミング制御信号ＣＴＲＸ，ＣＴＲＹ，ＣＴＲＺをそれぞれの駆動部５１０，５２０，５３０に転送する。
【００７８】
このとき、データ制御信号ＣＴＲＸには、データをサンプリングするためのサンプリングクロック、ラッチ制御信号、データ駆動部５１０内のエネルギー回収回路及び駆動スィッチ素子のＯＮ／ＯＦＦタイムを制御するためのスィッチ制御信号が含まれる。スキャン制御信号ＣＴＲＹには、スキャン駆動部５２０内のエネルギー回収回路と駆動スィッチ素子のＯＮ／ＯＦＦタイムを制御するためのスィッチ制御信号が含まれる。また、サステイン制御信号ＣＴＲＺには、サステイン駆動部５３０内のエネルギー回収回路と駆動スィッチ素子のＯＮ／ＯＦＦタイムを制御するためのスィッチ制御信号が含まれる。
【００７９】
駆動電圧発生部５５０は、駆動パルス制御部５４０とそれぞれの駆動部５１０，５２０，５３０に必要な駆動電圧を発生させ、供給する。すなわち、駆動電圧発生部５５０は、セットアップ電圧Ｖｓｅｔｕｐ、セットダウン電圧Ｖｓｅｔｄｏｗｎ、スキャン基準電圧Ｖｓｃ、正極性サステイン電圧−Ｖｓ／２、負極性サステイン電圧Ｖｓ／２及びアドレス電圧Ｖａを発生させる。このような駆動電圧は、放電ガスの組成や放電セル構造によって調節することができる。
【００８０】
このように本発明の第１の実施例に係るプラズマディスプレイ装置は、駆動パルス制御部５４０の第御下で駆動電圧発生部５５０から発生する低電圧の駆動電圧を、駆動部５１０，５２０，５３０を介してプラズマディスプレイパネル５００に印加する。また、本発明の第１の実施例では、アドレス期間中に負極性サステイン波形と同じ電圧レベルのスキャン波形を具現することにより、プラズマディスプレイ装置の回路を簡単に構成することができる。ここで、図６及び図７を参照して本発明の第１の実施例に係るプラズマディスプレイ装置の回路構成とその動作特性について説明する。
【００８１】
図６は、本発明の第１の実施例に係るプラズマディスプレイ装置の回路図であり、図７は、本発明の第１の実施例に係るプラズマディスプレイ装置の動作のためのスイッチングタイミング図である。
【００８２】
図６に示すように、本発明の第１の実施例に係るプラズマディスプレイ装置は、プラズマディスプレイパネル６００、スキャン駆動部６１０及びサステイン駆動部６２０を備える。
【００８３】
プラズマディスプレイパネル６００には、スキャン電極Ｙ１〜Ｙｎ及びサステイン電極Ｚと、前記スキャン電極Ｙ１〜Ｙｎ及びサステイン電極Ｚと交差する複数のアドレス電極Ｘ１〜Ｘｍとが形成される。
【００８４】
スキャン駆動部６１０は、スキャン電極Ｙ１〜Ｙｎに印加される前記波形を供給する複数のスキャンドライバ６１０−１〜６１０−ｎを含む。
スキャンドライバ６１０−１〜６１０−ｎには、アドレス期間中にスキャン基準パルスを供給し、サステイン期間中に正極性サステインパルスを供給する第１のスイッチング素子６１１−１〜６１１−ｎと、アドレス期間中にスキャンパルスを供給し、サステイン期間中に負極性サステインパルスを供給する第２のスイッチング素子６１３−１〜６１３−ｎとが備えられる。
また、スキャン駆動部６１０は、スキャン電極Ｙ１〜Ｙｎを所定の期間中に接地電圧レベルで保持するための第１の接地用スイッチング素子６１４と、第２の接地用スイッチング素子６１５とを含む。
【００８５】
サステイン駆動部６２０は、共通に接続されたサステイン電極Ｚに印加される前記波形を供給するサステインドライバ６２０−１を含む。
サステインドライバ６２０−１には、サステイン期間中に正極性サステインパルスを供給する第１のスイッチング素子６２１と、サステイン期間中に負極性サステインパルスを供給する第２のスイッチング素子６２３とが備えられる。
また、サステイン駆動部６２０は、サステイン電極Ｚを所定の期間中に接地電圧レベルで保持するための第３の接地用スイッチング素子６２４と、第４の接地用スイッチング素子６２５とを含む。
【００８６】
本発明の第１の実施例に係るプラズマディスプレイ装置は、先ずアドレス期間中に第１の接地用スイッチング素子６１４がターンオンするとともに、スキャンドライバ６１０−１〜６１０−ｎの第１のスイッチング素子６１１−１〜６１１−ｎがターンオンして、スキャン電極Ｙ１〜Ｙｎには接地電圧レベルのスキャン基準パルス（スキャン基準電圧）が印加される。すなわち、スキャン基準波形の電圧レベルを接地電圧で保持することにより、別途の電圧源が不要になる。
【００８７】
このとき、選択されたいずれか１つのスキャン電極を担当するスキャンドライバ（６１０−１〜６１０−ｎのいずれか１つ）の第２のスイッチング素子（６１３−１〜６１３−ｎのいずれか１つ）はターンオンし第１のスイッチング素子はターンオフし、選択されていない残りのスキャン電極を担当するスキャンドライバの第２のスイッチング素子はターンオフする。また、このとき、第２の接地用スイッチング素子６１４はターンオフされている。
【００８８】
例えば、一番目のスキャン電極Ｙ１が選択されたら、一番目のスキャン電極Ｙ１を担当するスキャンドライバ６１０−１の第２のスイッチング素子６１３−１がターンオンし、残りのスキャンドライバ６１０−２〜６１０−ｎの第２のスイッチング素子６１３−２〜６１３−ｎはターンオフする。これにより、負極性電圧−Ｖｓ／２のスキャンパルスが一番目のスキャン電極Ｙ１に印加される同時に、アドレスパルスが全てのアドレス電極Ｘ１〜Ｘｍに印加され、負極性スキャンパルスとアドレスパルスとの電圧差により、一番目のスキャン電極Ｙ１上のセルに対するアドレス放電が行われる。
【００８９】
このように本発明の第１の実施例に係るプラズマディスプレイ装置は、アドレス期間中にスキャン電極Ｙ１〜Ｙｎに印加されるスキャン波形と、サステイン期間中にスキャン電極Ｙ１〜Ｙｎとサステイン電極Ｚに印加される負極性サステイン波形とが、同じ電圧レベルを有する。この際、電圧のレベルは従来サステイン電圧Ｖｓより一層低いレベルＶｓ／２である。
【００９０】
次に、図７のスイッチングタイミングを参照してサステイン過程を説明する。
【００９１】
先ず、スキャンドライバ６１０−１〜６１０−ｎの第１のスイッチング素子６１１−１〜６１１−ｎ、第２の接地用スイッチング素子６１５及び、サステインドライバ６２０−１の第２のスイッチング素子６２３がターンオンする。これにより、すべてのスキャン電極Ｙ１〜Ｙｎに正極性電圧Ｖｓ／２の正極性サステインパルスが印加され、すべてのサステイン電極Ｚに負極性電圧−Ｖｓ／２の負極性サステインパルスが印加される。スキャン電極とサステイン電極との電位差は、図７に示すようにサステイン放電電圧Ｖｓの大きさとなり、サステイン放電が行われる。
【００９２】
その後、第２の接地用スイッチング素子６１５はターンオン状態を保持し、スキャンドライバ６１０−１〜６１０−ｎの第２のスイッチング素子６１３−１〜６１３−ｎ及び第４の接地用スイッチング素子６２５がターンオンする。これにより、すべてのスキャン電極Ｙ１〜Ｙｎとサステイン電極Ｚは、接地電圧レベルとなる。すなわち、本発明の第１の実施例では、スキャン電極及びサステイン電極のうちどちらか一方以上の電極に印加されるサステイン波形の極性が変わる時点で、所定のサステイン基準波形が印加される。これは、サステイン波形の極性変換の時点で、スィッチタイミングを考慮して十分な駆動マージンを確保するためのことである。好ましくはサステイン基準波形を接地電圧レベルで保持することで、プラズマディスプレイ装置のより安定した駆動を図る。
【００９３】
その後、第１の接地用スイッチング素子６１４とサステインドライバ６２０−１の第１のスイッチング素子６２１がターンオンし、スキャンドライバ６１０−１〜６１０−ｎの第２のスイッチング素子６１３−１〜６１３−ｎはターンオン状態を保持する。これにより、すべてのスキャン電極Ｙ１〜Ｙｎには負極性電圧−Ｖｓ／２の負極性サステインパルスが印加され、すべてのサステイン電極Ｚには正極性電圧Ｖｓ／２の正極性サステインパルスが印加される。よって、スキャン電極とサステイン電極間の電位差は、図７に示すようにサステイン放電電圧Ｖｓの大きさとなり、サステイン放電が起こる。
【００９４】
次に、第２の接地用スイッチング素子６１５と第４の接地用スイッチング素子６２５はターンオンし、スキャン電極用第２のスイッチング素子はターンオン状態を保持する。これにより、すべてのスキャン電極Ｙ１〜Ｙｎとサステイン電極Ｚ１〜Ｚｎは接地レベルになる。
【００９５】
このように本発明の第１の実施例に係るプラズマディスプレイ装置は、従来のサステイン電圧の１／２倍の正極性電圧源と負極性電圧源を利用してスキャン過程及びサステイン過程を行う。
【００９６】
図８は、本発明の第１の実施例に係るプラズマディスプレイ装置の駆動波形を示す図である。
【００９７】
図８に示すように、本発明の第１の実施例に係るプラズマディスプレイ装置は、すべてのセルを初期化するためのリセット期間と、放電するセルを選択するためのアドレス期間と、選択されたセルの放電を保持するためのサステイン期間と、放電したセル内の壁電荷を消去するための消去期間とに分けられて駆動される。
【００９８】
リセット期間において、セットアップ期間では、すべてのスキャン電極に立上りランプＲａｍｐ−ｕｐ波形のセットアップパルスが同時に印加される。この立上りランプ波形によって全画面の放電セル内では弱い暗放電(Dark Discharge)が起こる。このセットアップ放電により、アドレス電極とサステイン電極上には正極性壁電荷が蓄積され、スキャン電極上には負極性の壁電荷が蓄積される。
【００９９】
セットダウン期間では、接地(ＧＮＤ)電圧レベルから次第に立ち下がる立下りランプＲａｍｐ−ｄｏｗｎ波形のセットダウンパルスが印加されることにより、消去放電が起こり、その結果、セル内に形成された壁電荷が充分に消去される。セットダウン放電によって安定したアドレス放電が行われるのに必要な壁電荷がセル内に一様に残留する。
【０１００】
アドレス期間では、接地電圧レベルのスキャン基準パルスから立ち下がる負極性スキャンパルスがスキャン電極に順次に印加されると共に、スキャンパルスに同期される正極性のアドレスパルスがアドレス電極に印加される。スキャンパルスとアドレスパルス間の電圧差とリセット期間に生成された壁電圧が加えられることにより、アドレスパルスが印加される放電セル内ではアドレス放電が発生する。アドレス放電によって選択されたセル内には負極性サステイン電圧−Ｖｓが印加されるときに放電を行うのに必要な壁電荷が形成される。
【０１０１】
ここで、本発明の第１の実施例では、アドレス期間中にスキャン電極に印加されるスキャン波形は、負極性サステイン波形と同じ電圧レベルを有するので、別途の電圧源が不必要になる。また、前述したように、電圧レベルを下げて一層効率的に電力消費を低減する。また、本発明の第１の実施例に係るサステイン電極にはアドレス期間中に接地電圧レベルの基準波形が印加される。これにより、スキャン電極との電圧差を減らしてスキャン電極との誤放電を防止することができる。
【０１０２】
サステイン期間では、スキャン電極とサステイン電極のうちどちらかの電極に正極性サステイン波形が印加されると共に、反対電極に負極性サステイン波形が印加されることにより、サステイン放電電圧の大きさの電位差が発生する。すなわち、アドレス放電によって選択されたセルは、セル内の壁電圧と印加される各サステインパルスによってスキャン電極とサステイン電極との間でサステイン放電、すなわち表示放電を行う。よって、前述したように低電圧駆動が行われる。
【０１０３】
このとき、本発明の第１の実施例では、正極性サステイン波形と負極性サステイン波形が互いに同じ電圧レベルＶｓ／２を有することにより、ハードウェア構成を簡単にし、同じ耐圧特性を有するスイッチング素子を使用することができる。また、正極性サステイン波形と負極性サステイン波形は、必要に応じて互いに異なる電圧レベルを有することができる。すなわち、負極性サステイン波形の電圧レベルを一層上げることにより、同じ電圧レベルで印加されるスキャン波形の電圧レベルを下げる。これにより、アドレス電極に印加されるアドレス波形の電圧レベルも下げることができる。これと反対に、正極性サステイン波形の電圧レベルを一層上げることにより、セットアップ波形の電圧レベルを考慮し、正極性サステイン波形の電圧レベルを上げると、セットアップ波形の電圧レベルを下げることができる。これは、本発明の第２の実施例の特徴に基づいて充分説明される。
【０１０４】
消去期間では、パルス幅と電圧レベルの低い消去ランプＲａｍｐ−ｅｒｓ波形の電圧がサステイン電極に供給され、全画面のセル内の残留壁電荷を消去させる。
＜第２の実施例＞
【０１０５】
図９は、本発明の第２の実施例に係るプラズマディスプレイ装置の構造を説明するための図である。
【０１０６】
図９に示すように、本発明の第２の実施例に係るプラズマディスプレイ装置は、プラズマディスプレイパネル９００、データ駆動部９１０、スキャン駆動部９２０、サステイン駆動部９３０、駆動パルス制御部９４０及び駆動電圧発生部９５０を備える。
【０１０７】
プラズマディスプレイパネル９００には、スキャン電極Ｙ１〜Ｙｎ及びサステイン電極Ｚと、前記スキャン電極Ｙ１〜Ｙｎ及びサステイン電極Ｚと交差する複数のアドレス電極Ｘ１〜Ｘｍとが形成される。
【０１０８】
データ駆動部９１０は、プラズマディスプレイパネル９００に形成されたアドレス電極Ｘ１〜Ｘｍにデータを印加する。ここで、データは外部から入力される映像信号を処理する映像信号処理部（図示せず）で処理された映像信号データである。データ駆動部９１０は、駆動パルス制御部９４０からのデータタイミング制御信号ＣＴＲＸに応答してデータをサンプリングしラッチした後、アドレス電圧Ｖａを有するアドレスパルスをそれぞれのアドレス電極Ｘ１〜Ｘｍに供給する。
【０１０９】
スキャン駆動部９２０は、プラズマディスプレイパネル９００に形成されたスキャン電極Ｙ１〜Ｙｎを駆動する。先ず、スキャン駆動部９２０は、リセット期間中に、駆動パルス制御部９４０の制御下で、ランプ波形をなしながらセットアップ電圧Ｖｓｅｔｕｐレベルに立ち上がるセットアップパルスと、セットダウン電圧−Ｖｓｅｔｄｏｗｎレベルに立ち下がるセットダウンパルスとを、スキャン電極Ｙ１〜Ｙｎに供給する。その後、アドレス期間中に、スキャン基準電圧Ｖｓｃから立ち下がる負極性スキャンパルスをスキャン電極Ｙ１〜Ｙｎのそれぞれに順次に供給する。スキャン波形と負極性サステイン波形は、駆動電圧発生部９５０から供給される同じ電圧−Ｖｓ／２を有する。
【０１１０】
本発明の第２の実施例に係るスキャン駆動部９２０から供給されるセットアップパルスは、正極性サステイン波形と同じ電圧Ｖ／２レベルの正極性波形を印加した後、次第に立ち上がる立上りランプ波形となる。また、セットダウン波形は、セットアップ波形と逆の波形である、次第に立ち下がる立下りランプ波形となる。このとき、サステイン駆動部９３０は、セットアップ波形と逆極性の波形のパルスと、セットダウン波形と逆極性の波形のパルスとを供給する。これにより、セットアップパルスとセットダウンパルスの電圧を低減することができる。これに関するより詳細な説明は、図１０を参照して後述する。
【０１１１】
その後、スキャン駆動部９２０は、サステイン期間中に、サステイン放電を行うために、少なくとも１以上の正極性サステインパルスと、スキャンパルスと同じ電圧レベルの負極性サステインパルスとを、スキャン電極Ｙ１〜Ｙｎに供給する。
【０１１２】
サステイン駆動部９３０は、プラズマディスプレイパネル９００に共通電極として形成されたサステイン電極Ｚを駆動する。サステイン駆動部９３０は、駆動パルス制御部９４０の制御下でリセット期間中に上述したパルスをサステイン電極Ｚに供給し、アドレス期間中に接地電圧レベルの基準パルスをサステイン電極Ｚに供給し、サステイン期間中にスキャン電極Ｙ１〜Ｙｎに印加される正極性サステインパルス及び負極性サステインパルスと逆極性のサステインパルスをサステイン電極Ｚに供給する。
【０１１３】
駆動パルス制御部９４０は、プラズマディスプレイパネル９００駆動時にデータ駆動部９１０、スキャン駆動部９２０及びサステイン駆動部９３０を制御する。すなわち、駆動パルス制御部９４０は、上述の如きリセット期間、アドレス期間、サステイン期間中にデータ駆動部９１０、スキャン駆動部９２０及びサステイン駆動部９３０の動作タイミングと同期化を制御するためのタイミング制御信号ＣＴＲＸ，ＣＴＲＹ，ＣＴＲＺを生成し、それぞれのタイミング制御信号ＣＴＲＸ，ＣＴＲＹ，ＣＴＲＺをそれぞれの駆動部９１０，９２０，９３０に転送する。
【０１１４】
このとき、データ制御信号ＣＴＲＸには、データをサンプリングするためのサンプリングクロック、ラッチ制御信号、データ駆動部９１０内のエネルギー回収回路及び駆動スィッチ素子のＯＮ／ＯＦＦタイムを制御するためのスィッチ制御信号が含まれる。スキャン制御信号ＣＴＲＹには、スキャン駆動部９２０内のエネルギー回収回路と駆動スィッチ素子のＯＮ／ＯＦＦタイムを制御するためのスィッチ制御信号が含まれる。また、サステイン制御信号ＣＴＲＺには、サステイン駆動部９３０内のエネルギー回収回路と駆動スィッチ素子のＯＮ／ＯＦＦタイムを制御するためのスィッチ制御信号が含まれる。
【０１１５】
駆動電圧発生部９５０は、駆動パルス制御部９４０とそれぞれの駆動部９１０，９２０，９３０に必要な駆動電圧を発生させ、供給する。すなわち、駆動電圧発生部９５０は、セットアップ電圧Ｖｓｅｔｕｐ、セットダウン電圧Ｖｓｅｔｄｏｗｎ、スキャン基準電圧Ｖｓｃ、正極性サステイン電圧−Ｖｓ／２、負極性サステイン電圧Ｖｓ／２及びアドレス電圧Ｖａを発生させる。このような駆動電圧は、放電ガスの組成や放電セル構造によって調節することができる。
【０１１６】
このように本発明の第２の実施例に係るプラズマディスプレイ装置は、駆動パルス制御部９４０の制御下で駆動電圧発生部９５０から発生する低電圧の駆動電圧を、駆動部９１０，９２０，９３０を介してプラズマディスプレイパネル９００に印加する。特に、本発明の第２の実施例では、リセット期間中にスキャン電極に印加されるセットアップパルスと逆極性のパルスをサステイン電極に印加することにより、低電圧駆動を可能にする。ここで、図１０を参照して本発明の第２の実施例に係るプラズマディスプレイ装置の回路構成とその動作特性について説明する。
【０１１７】
図１０は、本発明の第２の実施例に係るプラズマディスプレイ装置の回路図である。
【０１１８】
図１０に示すように、本発明の第２の実施例に係るプラズマディスプレイ装置は、プラズマディスプレイパネル１０００、スキャン駆動部１０１０及びサステイン駆動部１０２０を備える。
【０１１９】
プラズマディスプレイパネル１０００は、スキャン電極Ｙ１〜Ｙｎ及びサステイン電極Ｚと、前記スキャン電極Ｙ１〜Ｙｎ及びサステイン電極Ｚと交差する複数のアドレス電極Ｘ１〜Ｘｍとが形成される。
【０１２０】
スキャン駆動部１０１０は、スキャン電極Ｙ１〜Ｙｎに印加される前記波形を供給する複数のスキャンドライバ１０１０−１〜１０１０−ｎを含む。スキャンドライバ１０１０−１〜１０１０−ｎには、セットアップ期間中にセットアップパルスを供給し、アドレス期間中にスキャン基準パルスを供給し、サステイン期間中に正極性サステインパルスを供給する第１のスイッチング素子１０１１−１〜１０１１−ｎと、セットダウン期間中にセットダウンパルスを供給し、アドレス期間中にスキャンパルスを供給し、サステイン期間中に負極性サステインパルスを供給する第２のスイッチング素子１０１３−１〜１０１３−ｎとが備えられる。
【０１２１】
また、スキャン駆動部１０１０は、スキャン電極Ｙ１〜Ｙｎを所定の期間中に接地電圧レベルで保持するための第１の接地用スイッチング素子１０１４を含む。
【０１２２】
また、スキャン駆動部１０１０は、駆動電圧発生部から発生するセットアップ電圧Ｖｓｅｔｕｐを供給するためのセットアップ電圧用スイッチング素子１０１５と、セットダウン電圧Ｖｓｅｔｄｏｗｎを供給するためのセットダウン電圧用スイッチング素子１０１６と、正極性サステイン電圧Ｖｓ／２を供給するための正極性サステイン電圧用スイッチング素子１０１７と、負極性サステイン電圧−Ｖｓ／２を供給するための負極性サステイン電圧用スイッチング素子１０１８とをさらに含む。
【０１２３】
サステイン駆動部１０２０は、共通に接続されたサステイン電極Ｚに印加される前記波形を供給するサステインドライバ１０２０−１を含む。サステインドライバ１０２０−１には、セットダウン期間中に前記セットダウン波形と逆極性のパルスを供給し、サステイン期間中に正極性サステインパルスを供給する第１のスイッチング素子１０２１と、セットアップ期間中に前記セットアップ波形と逆極性のパルスを供給し、サステイン期間中に負極性サステインパルスを供給する第２のスイッチング素子１０２３とが備えられる。また、サステイン駆動部１０２０は、サステイン電極Ｚを所定の期間中に接地電圧レベルで保持するための第２の接地用スイッチング素子１０２４を含む。
【０１２４】
本発明の第２の実施例に係るプラズマディスプレイ装置は、先ずリセット期間中に正極性サステイン電圧用スイッチング素子１０１７と、スキャンドライバ１０１０−１〜１０１０−ｎの第１のスイッチング素子１０１１−１〜１０１１−ｎと、サステインドライバ１０２０−１の第２のスイッチング素子１０２３とがターンオンする。これにより、スキャン電極Ｙ１〜Ｙｎとサステイン電極Ｚ間の電位差はサステイン放電電圧Ｖｓとなる。このとき、セットアップ電圧用スイッチング素子１０１５がターンオンし、次第に立ち上がるランプ波形のセットアップパルスが印加される。
【０１２５】
すなわち、すべてのスキャン電極Ｙ１〜Ｙｎの最終電位はサステイン電圧Ｖｓとセットアップ電圧Ｖｓｅｔｕｐとの和となる。このように、本発明の第２の実施例では、セットアップ期間中にサステイン電極にセットアップ波形と逆極性の波形を印加することにより、低電圧で従来と同様に駆動する。このとき、逆極性の波形は、負極性のサステインと同じ電圧−Ｖｓ／２レベルで印加されることから、ハードウェア構成を簡単にし、その生産コストを低減することができる。
【０１２６】
その後、セットアップ電圧用スイッチング素子１０１５がターンオフする。
【０１２７】
その後、正極性サステイン電圧用スイッチング素子１０１７と、スキャンドライバ１０１０−１〜１０１０−ｎの第１のスイッチング素子１０１１−１〜１０１１−ｎと、サステインドライバ１０２０−１の第２のスイッチング素子１０２３とがターンオフする。同時に、サステインドライバ１０２０−１の第１のスイッチング素子１０２１と、スキャンドライバ１０１０−１〜１０１０−ｎの第２のスイッチング素子１０１３−１〜１０１３−ｎと、セットダウン電圧用スイッチング素子１０１６とがターンオンする。これにより、スキャン電極Ｙ１〜Ｙｎの電位は、正極性サステイン電圧Ｖｓ／２レベルからセットダウンパルスの最終電圧−Ｖｓｅｔｄｏｗｎレベルに立ち下がる。また、サステイン電極Ｚには正極性サステイン電圧Ｖｓ／２レベルを有するセットダウンパルスと逆極性の波形がセットダウン期間中に印加される。
【０１２８】
その後、本発明の第２の実施例に係るアドレス期間及びサステイン期間の動作特性は、図６及び図７を参照して説明した本発明の第１の実施例プラズマディスプレイ装置の動作特性と同様であるので、その説明を省略する。
【０１２９】
このように本発明の第２の実施例に係るプラズマディスプレイ装置は、従来のサステイン電圧の１／２倍に該当する正極性電圧源と負極性電圧源を用いてスキャン過程とサステイン過程はもとより、リセット過程を行う。
【０１３０】
図１１は、本発明の第２の実施例に係るプラズマディスプレイ装置の駆動波形を示す図である。
【０１３１】
図１１に示すように、本発明の第２の実施例に係るプラズマディスプレイ装置は、すべてのセルを初期化するためのリセット期間と、放電するセルを選択するためのアドレス期間と、選択されたセルの放電を保持するためのサステイン期間と、放電したセル内の壁電荷を消去するための消去期間とに分けられて駆動される。
【０１３２】
リセット期間において、セットアップ期間では、すべてのスキャン電極に立上りランプＲａｍｐ−ｕｐ波形のセットアップパルスが同時に印加される。この立上りランプ波形によって全画面の放電セル内では弱い暗放電(dark Discharge)が起こる。このセットアップ放電により、アドレス電極とサステイン電極上には正極性壁電荷が蓄積され、スキャン電極上には負極性壁電荷が蓄積される。
【０１３３】
このとき、本発明の第２の実施例に係るスキャン電極に印加されるセットアップ波形は、正極性サステイン波形と同じ電圧Ｖｓ／２レベルから次第に立ち上がる立上りランプ波形を示す。同時に、サステイン電極に印加されるセットアップ波形と逆極性の波形は、負極性サステイン波形と同じ電圧−Ｖｓ／２レベルを有する。これにより、従来と同じ電位差を確保すると共に、低電圧駆動が可能となる。
【０１３４】
セットダウン期間では、正極性サステイン電圧Ｖｓ／２レベルと同じ電圧レベルから次第に立ち下がる立下りランプＲａｍｐ−ｄｏｗｎ波形のセットダウンパルスが印加されることにより、消去放電が起こり、その結果、セル内に形成された壁電荷が充分に消去される。セットダウン放電によって安定したアドレス放電が行われるのに必要な壁電荷がセル内に一様に残留する。このとき、サステイン電極にはセットダウン波形の正極性サステイン波形と同じ電圧Ｖｓ／２レベルの逆極性の基準波形が印加されることにより、スキャン電極とサステイン電極間の過剰消去放電を防止することができる。
【０１３５】
その後、本発明の第２の実施例に係るアドレス期間、サステイン期間及び消去期間の駆動波形の特性は図８を参照して説明した本発明の第１の実施例駆動波形の特性と同様であるので、その説明を省略する。
【０１３６】
以上説明した本発明は、本発明の属する技術分野で通常の知識を有する者によって本発明の精神及び範囲から逸脱しない限度内で色々な置換、変形及び変更が可能なので、前述した実施例及び添付図面に限定されるものではない。
【図面の簡単な説明】
【０１３７】
【図１】一般的なプラズマディスプレイパネルの構造を示す図である。
【図２】従来のプラズマディスプレイ装置の画像を具現する方法を示す図である。
【図３】従来のプラズマディスプレイ装置を概略的に示すブロック図である。
【図４】従来のプラズマディスプレイ装置の回路図である。
【図５】本発明の第１の実施例に係るプラズマディスプレイ装置の構造を説明するための図である。
【図６】本発明の第１の実施例に係るプラズマディスプレイ装置の回路図である。
【図７】本発明の第１の実施例に係るプラズマディスプレイ装置の動作のためのスイッチングタイミング図である。
【図８】本発明の第１の実施例に係るプラズマディスプレイ装置の駆動波形を示す図である。
【図９】本発明の第２の実施例に係るプラズマディスプレイ装置の構造を説明するための図である。
【図１０】本発明の第２の実施例に係るプラズマディスプレイ装置の回路図である。
【図１１】本発明の第２の実施例に係るプラズマディスプレイ装置の駆動波形を示す図である。
【図２】
2006018307.tif 000003
【図３】
2006018307.tif 000004
【図４】
2006018307.tif 000005
【図５】
2006018307.tif 000006
【図６】
2006018307.tif 000007
【図７】
2006018307.tif 000008
【図８】
2006018307.tif 000009
【図９】
2006018307.tif 000010
【図１０】
2006018307.tif 000011
【図１１】
2006018307.tif 000012
【図１】
2006018307.tif 000013